(57)【要約】 【課題】防獣に効果的な防護柵を施工能率よく構築し得る打ち込み式支柱装置を提供する。【解決手段】上端が打撃部２となる打ち込み式の支柱３と、該支柱３に突設される枝状部材５とを含む。枝状部材５は、支柱３の側面部１６の上端側の部分をなす側面軸部２９から突出する枝状突出片１７の基端に、側面軸部２９に固定される固定部２０が設けられている。固定部２０は、側面軸部２９に取り付いた状態で支柱３の長さ方向にスライドでき、支柱３の所要高さ位置で支柱３に固定される。【選択図】図１
2008263827.tif 000002
【特許請求の範囲】
【請求項１】
上端が打撃部となる打ち込み式の支柱と、該支柱に突設される枝状部材とを含む枝状部材を具える打ち込み式支柱装置であって、
前記枝状部材は、前記支柱の側面部の上端側の部分をなす側面軸部から突出する枝状突出片の基端に、前記側面軸部に固定される固定部が設けられており、該固定部は、前記側面軸部に取り付いた状態で前記支柱の長さ方向にスライドでき、前記支柱の所要高さ位置で該支柱に固定されることを特徴とする枝状部材を具える打ち込み式支柱装置。
【請求項２】
上端が打撃部となる打ち込み式の支柱と、該支柱に突設される枝状部材とを含む枝状部材を具える打ち込み式支柱装置であって、
前記枝状部材は、前記支柱の側面部の上端側の部分をなす側面軸部から突出する枝状突出片の基端に、前記側面軸部に固定される固定部が設けられ、該固定部は、該側面軸部を嵌入させるための嵌入溝を形成する左右一対の挾持片からなる嵌入筒部を有し、該嵌入筒部は、該嵌入溝に該側面軸部が嵌入した状態で、該側面軸部の長さ方向にスライドできると共に該側面軸部の周方向に回転できる如くなされており、又、両挾持片の先端に、ネジ軸片が所要間隔を置いた対向状態で突設されており、該ネジ軸片間を弾性的に拡開させつつ前記側面軸部を前記嵌入溝に嵌入させることができ、又、該ネジ軸片の外周面には雄ネジ部が設けられており、該左右のネジ軸片が構成するネジ軸が、操作ナット部材の雌ネジ部と螺合し得るようになされており、該操作ナット部材を締め付けるに伴い、前記左右の挾持片が前記側面軸部を締め付け、これにより前記固定部が前記側面軸部に固定されることを特徴とする枝状部材を具える打ち込み式支柱装置。
【請求項３】
前記両ネジ軸片の向き合う内面に、その長さ方向中央線に沿って規制突部が対向状態で設けられており、両ネジ軸片が自由状態においては該両規制突部間に隙間が形成される如くなされており、該規制突部は、前記ネジ軸片の内面から浮き上がった状態で該内面と平行してその長さ方向に延長する直線状案内面を有し、該直線状案内面の先端で、前記ネジ軸片先端に向けて外方に傾斜する傾斜案内面が連設されており、該傾斜案内面の先端で、前記ネジ軸片の先端内側に形成された、外方に傾斜する傾斜面が一連に連なっており、これにより、前記ネジ軸の先端に案内凹部が形成されていることを特徴とする請求項２記載の枝状部材を具える打ち込み式支柱装置。
【請求項４】
前記支柱の径を調整するための調整リング部材が前記側面部に嵌着されることによって前記側面軸部が構成されていることを特徴とする請求項２又は３記載の枝状部材を具える打ち込み式支柱装置。
【請求項５】
前記支柱の径を調整するためのＣ字状の調整リング部材が前記側面部に嵌着されることによって前記側面軸部が構成されており、該Ｃ字状の調整リング部材は、割り溝状の開口部を具え且つ外周面が円形面を呈するＣ字状片を有し、該Ｃ字状片は、該開口部を弾性的に拡開させつつ前記側面部に弾性的に嵌着される如くなされると共に、該Ｃ字状片は前記支柱の長さ方向にスライドでき、又、該Ｃ字状片の上下には、前記嵌入筒部の上下端に当接し得るフランジが設けられていることを特徴とする請求項２又は３記載の枝状部材を具える打ち込み式支柱装置。
【請求項６】
前記枝状突出片の基端部を、前記固定部に設けられた支持部に、該枝状突出部が上下に回動可能に連結し、該枝状突出片が所要角度で固定されるようにしたことを特徴とする請求項１〜５の何れかに記載の枝状部材を具える打ち込み式支柱装置。
【請求項７】
前記固定部が前記側面軸部に固定された状態において、前記支柱の上端部分が該固定部の上方に突出しており、該突出した部分は、該支柱の打ち込み状態が後に緩んだときに該支柱を更に地面に打込む際の打ち込み余裕部とされており、前記固定部を該打ち込み余裕部に沿って上方向にスライドさせ得るように構成されていることを特徴とする請求項１〜６の何れかに記載の枝状部材を具える打ち込み式支柱装置。
【請求項８】
請求項７記載の枝状部材を具える打ち込み式支柱装置を用いる枝状部材を具える支柱の立設工法であって、前記支柱をその打撃部を打撃して地面に所要長さを打ち込んで後、前記枝状部材の固定部を前記支柱の所要高さ位置で前記側面軸部に固定し、該固定状態において、前記支柱の上端部分を該固定部の上方に突出する打ち込み余裕部とし、該支柱の打ち込み状態が後に緩んだときに、前記打撃部を打撃して該支柱を所要長さ地面に打ち込み、その後、前記固定部の固定状態を解除し、該固定部を前記打ち込み余裕部に沿って上方向にスライドさせ、前記枝状部材の高さを当初の状態に戻し、該固定部を前記側面軸部に固定することを特徴とする枝状部材を具える支柱の立設工法。
【発明の詳細な説明】
【技術分野】
【０００１】
本発明は、枝状部材を具える打ち込み式支柱装置及び、枝状部材を具える支柱の立設工法に関するものである。より詳しくは、猪や鹿等の野生動物が農地に侵入するのを防止するための防護柵を構築するに際して好適な、枝状部材を具える打ち込み式支柱装置に関するものであり、又、支柱の打ち込み状態が後に緩んだときにも、支柱の打ち込み状態の安定化と枝状部材の高さ調整を容易に行なうことのできる、枝状部材を具える支柱の立設工法に関するものである。
【背景技術】
【０００２】
近年、野生動物による農作物の被害が各地で見られているが、取り分け猪による被害が増大してきている。
【０００３】
猪による被害対策の一例としては、例えば特許文献１に示すように、農作物等を栽培する農地の周囲を、金網や樹脂ネット、トタン板、樹脂波板等を用いた防護柵で囲むことが一般的に行なわれていた。
【０００４】
例えば格子状金網を用いた防護柵としては、非特許文献１に記載のものが提案されている。該防護柵ａは、図４４に示すように、農地ｂの外方に向けて斜めに屈曲した上方傾斜部ｃを有していた。該防護柵ａを構築するに際しては、高さが１ｍ程度の金網ｄの上部の３０ｃｍ程度の長さ部分ｄ１（図４４（Ｂ））を垂直線に対して外側に２０〜３０度の角度θで折り曲げることによって前記上方傾斜部ｃが設けられてなる金網ｅを形成し、該上方傾斜部ｃを有する該金網ｅを、支柱ｆを１〜２ｍ間隔で地面に打ち込んで形成した支柱列に張設し該支柱ｆに針金等で固定していた。
【０００５】
この防護柵ａは、猪は助走を付けずにその場で踏み切って柵を飛び越えるという、猪の行動様式に着眼して開発されたものである。このような行動様式を有する結果、猪が該防護柵ａに近接した状態で柵を跳び越えようとすると柵の前記上方傾斜部ｃが猪に覆い被さった状態となるので、猪は踏切位置を後方にずらすことになる。踏切位置をこのように後方にずらした位置で、猪の視点から防護柵ａを仰ぎ見ると、この防護柵ａの高さは、前記上方傾斜部ｃが形成されていない防護柵よりも高く見える。加えて、猪と防護柵との距離も遠くなる。このようなことから猪は、柵を跳び越えようとする行動自体を諦めてしまうことを期待でき、これによって、猪が農地に侵入するのを回避せんとするものであった。上方傾斜部ｃを有するかかる防護柵ａは、実際に猪の跳躍侵入を防止でき、有効な防護柵とされている。
【０００６】
しかしながら、金網の上部を所要角度に折り曲げて上方傾斜部ｃ付きの特別な金網ｅを形成するのに多くの手間を要したため、防護柵ａの施工コストの上昇を招く問題があった。
【０００７】
そこで本発明者は図４５に示すような、上部が斜め上方に屈曲されて傾斜片部ｊが設けられた屈曲支柱ｋを用意し、該屈曲支柱ｋを、所要間隔（例えば１．５ｍ程度の間隔）で、支柱下部ｍを地面ｎに押し込んで立設状態とした後、この並置された支柱列ｐに、屈曲の自由な市販の繊維製のネットｑを張設してなる防護柵ｒを開発した。該防護柵ｒは、その上部が農地の外方に向けて斜めに屈曲して傾斜屈曲部ｓが形成されているため、上方傾斜部ｃを有する前記防護柵ａと同様の猪侵入防止効果を発揮できた。
【０００８】
しかしながら、このように上部が屈曲した屈曲支柱ｋは、打撃して地面ｎに打ち込むことができないために支柱下部ｍを地面ｎに押し込むことになるが、その際、地面に予め下孔を設け該下孔に支柱下端を挿入し、その後、支柱の側面部を両手で握って該支柱を地面に押し込むことを要した。そのため、屈曲支柱を地面に押し込む施工が行いにくく施工手間を要する問題があった。又、地面に凹凸があるときは、場所によって支柱の押し込み長さが異なるために前記傾斜片部ｊの高さが不揃いになり易かった。そのため、支柱を更に押し込んだり或いは支柱を若干引き抜いたりして前記傾斜片部ｊの高さを揃えなければならない非常に面倒な調整作業を要した。このように、傾斜片部ｊを有する屈曲支柱ｋを用いて構築する防護柵は、施工能率が悪く、施工コストの上昇を招く問題があったのである。
【０００９】
又、上部が屈曲した前記屈曲支柱ｋは、防護柵構築専用の支柱にならざるを得ず、植物栽培用途等に一般に使用されている市販の支柱を代用することはできず、経済性に劣る問題もあった。
【００１０】
又、ある程度期間が経過して支柱の地面への挿入部分が緩んだ場合、該屈曲支柱ｋを更に地面に押し込んだとすれば、前記傾斜片部ｊが下がることになり、防護柵の上端高さがその部分で低くなってしまい、所望の防獣効果が発揮されなくなる問題が発生した。
【００１１】
【特許文献１】特開２００２−２３３２９３号公報
【非特許文献１】独立行政法人  農業・食品産業技術総合研究機構、近中四農研・地域基盤研究部・鳥獣害研究室、“イノシシから農地を守る「金網忍び返し柵」”、［２００７年３月１４日検索］、インターネット〈ＵＲＬ：http://www.naro.affrc.go.jp/top/seika/2004/kinki/ki04002.html 〉
【発明の開示】
【発明が解決しようとする課題】
【００１２】
本発明は、例えば前記従来の問題点に鑑みて開発されたものであり、上端が打撃部となる打ち込み式の支柱と、該支柱の側面軸部に後付けによって突設される枝状部材とを具える基本構成を採用することによって、地面に対する支柱の立設を容易に且つ確実に行なうことができると共に、地面に凹凸があったり、支柱の打ち込み長さにバラツキがある等した場合も、枝状部材の高さを揃えるのが容易である、枝状部材を具える打ち込み式支柱装置の提供を課題とするものである。
【００１３】
更に進んで、枝状部材の水平面内での突出方向を設定するが容易である、枝状部材を具える打ち込み式支柱装置の提供を課題とするものである。
【００１４】
又、直径が若干異なる支柱に対しても枝状部材を確実に固定できる、枝状部材を具える打ち込み式支柱装置の提供を課題とするものである。
【００１５】
又、支柱の打ち込み状態が後に緩んだときにも、支柱の打ち込み状態の安定化と枝状部材の高さ調整を容易に行なうことのできる、枝状部材を具える支柱の立設工法の提供を課題とするものである。
【課題を解決するための手段】
【００１６】
前記課題を解決するため本発明は以下の手段を採用する。
即ち本発明に係る枝状部材を具える打ち込み式支柱装置（以下支柱装置という）は、上端が打撃部となる打ち込み式の支柱と、該支柱に突設される枝状部材とを含む枝状部材を具える支柱装置であって、前記枝状部材は、前記支柱の側面部の上端側の部分をなす側面軸部から突出する枝状突出片の基端に、前記側面軸部に固定される固定部が設けられており、該固定部は、前記側面軸部に取り付いた状態で前記支柱の長さ方向にスライドでき、前記支柱の所要高さ位置で該支柱に固定されることを特徴とするものである。
【００１７】
本発明に係る支柱装置のより具体的な態様は、上端が打撃部となる打ち込み式の支柱と、該支柱に突設される枝状部材とを含む枝状部材を具える支柱装置であって、前記枝状部材は、前記支柱の側面部の上端側の部分をなす側面軸部から突出する枝状突出片の基端に、前記側面軸部に固定される固定部が設けられ、該固定部は、該側面軸部を嵌入させるための嵌入溝を形成する左右一対の挾持片からなる嵌入筒部を有し、該嵌入筒部は、該嵌入溝に該側面軸部が嵌入した状態で、該側面軸部の長さ方向にスライドできると共に該側面軸部の周方向に回転できる如くなされている。又、両挾持片の先端に、ネジ軸片が所要間隔を置いた対向状態で突設されており、該ネジ軸片間を弾性的に拡開させつつ前記側面軸部を前記嵌入溝に嵌入させることができ、又、該ネジ軸片の外周面には雄ネジ部が設けられており、該左右のネジ軸片が構成するネジ軸が、操作ナット部材の雌ネジ部と螺合し得るようになされており、該操作ナット部材を締め付けるに伴い、前記左右の挾持片が前記側面軸部を締め付け、これにより前記固定部が前記側面軸部に固定されることを特徴とするものである。
【００１８】
前記支柱装置において、前記両ネジ軸片の向き合う内面に、その長さ方向中央線に沿って規制突部を対向状態で設け、両ネジ軸片が自由状態においては該両規制突部間に隙間が形成される如くなし、該規制突部は、前記ネジ軸片の内面から浮き上がった状態で該内面と平行してその長さ方向に延長する直線状案内面を有し、該直線状案内面の先端で、前記ネジ軸片先端に向けて外方に傾斜する傾斜案内面が連設されたものとし、又、該傾斜案内面の先端で、前記ネジ軸片の先端内側に形成された、外方に傾斜する傾斜面が一連に連なったものとし、これにより、前記ネジ軸の先端に案内凹部が形成されたものとするのがよい。
【００１９】
前記固定部が前記嵌入筒部を有する場合、前記支柱の径を調整するための調整リング部材が前記側面部に嵌着されることによって前記側面軸部が構成される如くなすのがよい。
【００２０】
該調整リング部材を具える場合、該調整リング部材をＣ字状の調整リング部材とするのがよい。該Ｃ字状の調整リング部材は、割り溝状の開口部を具え且つ外周面が円形面を呈するＣ字状片を有したものとし、該Ｃ字状片は、該開口部を弾性的に拡開させつつ前記側面部に弾性的に嵌着される如くなすと共に、該Ｃ字状片を前記支柱の長さ方向にスライドできるようになし、又、該Ｃ字状片の上下には、前記嵌入筒部の上下端に当接し得るフランジが設けられたものとして構成するのがよい。
【００２１】
前記各支柱装置において、前記枝状突出片の基端部を、前記固定部に設けられた支持部に、該枝状突出部が上下に回動可能に連結し、該枝状突出片が所要角度で固定されるように構成するのがよい。
【００２２】
前記各支柱装置において、前記固定部が前記側面軸部に固定された状態で、前記支柱の上端部分が該固定部の上方に突出したものとし、該突出した部分は、該支柱の打ち込み状態が後に緩んだときに該支柱を更に地面に打込む際の打ち込み余裕部とし、前記固定部を該打ち込み余裕部に沿って上方向にスライドさせ得るように構成するのがよい。
【００２３】
本発明に係る枝状部材を具える支柱の立設工法は、前記打ち込み余裕部を有する支柱装置を用いる立設工法であって、前記支柱をその打撃部を打撃して地面に所要長さを打ち込んで後、前記枝状部材の固定部を前記支柱の所要高さ位置で固定し、該固定状態において、前記支柱の上端部分を該固定部の上方に突出する打ち込み余裕部とし、該支柱の打ち込み状態が後に緩んだときに、前記打撃部を打撃して該支柱を所要長さ地面に打ち込み、その後、前記固定部の固定状態を解除し、該固定部を前記打ち込み余裕部に沿って上方向にスライドさせ、前記枝状部材の高さを当初の状態に戻すことを特徴とするものである。
【発明の効果】
【００２４】
本発明は以下の如き優れた効果を奏する。
(1) 本発明に係る支柱装置は、上端が打撃部となる打ち込み式の支柱と、該支柱に後付けにより突設される枝状部材とを具え、該枝状部材は、支柱長さ方向にスライドでき、所要高さ位置で支柱に固定されるものである。
【００２５】
従って本発明によるときは、支柱を地面に立設する際、例えば図４５に示すような屈曲支柱を地面に立設する場合とは異なり、地面に下孔を設け該下孔に支柱下端を挿入しなければならないといった面倒さがなく、枝状部材が取り外された状態で支柱上端を打撃することよって地面に対する支柱の立設を容易且つ確実に行なうことができる。又、枝状部材は、支柱の長さ方向にスライドでき、所要高さ位置で支柱に固定されるため、地面に凹凸があったり、支柱の打ち込み長さにバラツキがあっても、枝状部材の高さを揃えるのが容易である。かかることから、傾斜片部が一体に設けられてなる前記支柱を地面に立設する場合とは異なり、地面の凹凸を考慮して支柱の突き刺し長さを調整するために神経を使う必要がなく、或いは、一旦押し込んだ支柱を所要長さ引き上げる等の高さ調整のための施工手間を要さない。
【００２６】
このようなことから、枝状部材が突設された立設状態の支柱にネットやシート等を取り付けて、猪や鹿等の野生動物が農地に侵入するのを防止する防護柵を構築したり、日除けや雨除け等を構築する際、その施工の容易化と施工能率の向上を期し得ることとなる。
【００２７】
(2) そして本発明は、枝状部材の固定部を支柱の側面軸部に固定する構成を採用しているため、該固定部の上側に支柱の上端部分が突出した状態となし得、支柱の上端に枝状部材を直接突設する場合とは異なり、枝状部材が固定された状態においても支柱の打撃部は露出状態にある。
【００２８】
かかることから、地面に対する支柱の打ち込み状態が緩んだ場合は、該打撃部を打撃して支柱を更に打ち込むことにより支柱の立設状態を安定化させ得ると共に、該枝状部材の固定部を、その打ち込んだ長さの分だけ上にスライドさせて支柱に固定し直すことにより、防護柵等を、枝状突出部の高さが揃った（高さが若干異なっても略揃った状態を含む）当初の状態に戻すことができる。
【００２９】
(3) 本発明に係る支柱装置は、上端が打撃部となる打ち込み式の支柱と、該支柱に後付けにより突設される枝状部材とを具えており、別体の支柱と枝状部材との組み合わせからなるため、該支柱は、植物栽培用途等に一般に使用されている市販の支柱を代用することもできるのであり、経済性に優れる。
【００３０】
(4) 支柱の側面部に調整リング部材を嵌着して側面軸部を構成する場合は、使用する支柱が嵌入筒部の内径に比して稍小径であるときも、該支柱に対して同一の枝状部材を使用できる利点がある。該調整リング部材をＣ字状に構成することにより、該調整リング部材を、側面部に横方向から簡易に嵌着できる利点がある。
【００３１】
(5) 前記枝状部材の固定部を、支柱の周方向に回転できるように構成した場合は、枝状部材の高さを所要に設定できると共に、枝状部材の水平面内での突出方向も容易に調節でき、支柱を地面に打ち込んだ後における枝状部材の方向調整作業も能率化し得る利点がある。
【００３２】
(6) 枝状部材の固定部を、左右一対の挾持片からなる嵌入筒部を以て構成した場合は、一定範囲で直径の異なる複数種類の支柱に対して該固定部を安定状態に固定できることになる。そして、該両挾持片の先端にネジ軸片を突設し、該両ネジ軸片が構成するネジ軸に操作ナット部材の雌ネジ部を螺合することにより、該操作ナット部材の締め付けによって、左右の挾持片が前記側面軸部を締め付けた状態となし得、これにより枝状部材を支柱に簡易に固定できることとなる。
【００３３】
(7) 特に、前記両ネジ軸片の向き合う内面に、直線状案内面の先端に傾斜案内面が連設されてなる規制突部を設ける場合は、前記側面軸部を、該傾斜案内面、直線状案内面に案内させつつ前記固定部の嵌入溝に円滑に嵌入させることができる。
【００３４】
(8) 枝状突出部を固定部に対して、上下方向で回動でき、所要角度で固定されるように構成した場合は、該枝状突出部の突出方向を、斜め上方だけでなく、水平方向や斜め下方に設定することも容易であり、防護柵だけでなく日除けや雨除け等も構成できるなど、本発明に係る支柱装置の用途拡大を達成できることになる。
【００３５】
(9) 本発明に係る枝状部材を具える支柱の立設工法によるときは、支柱の打ち込み状態が後に緩んだときにも、支柱の打ち込み状態の安定化と枝状部材の高さ調整を容易に行なうことができる。
【実施例１】
【００３６】
図１〜３において本発明に係る支柱装置１は、上端が打撃部２となる打ち込み式の支柱３と、該支柱３に後付けによって突設される枝状部材５とを具えるものである。
【００３７】
前記支柱３は、中実の支柱でもよいのであるが、本実施例においては図３（Ａ）に示すように外径が２５ｍｍで全長が１５０ｃｍのパイプを以って構成され、その外周面１０は平滑に形成されている。そして支柱下端には、図１に示すように、下方に向けて細くなる円錐状の下端キャップ１１が取り付けられると共に、支柱上端には、上面１２が平面に形成された上端キャップ１３が取り付けられている。該上端キャップ１３は、該上面１２が、支柱３が図２に示すように地面１５に打ち込まれる際に打撃される前記打撃部２となるため、その打撃に対する耐久性を考慮して製作されている。
【００３８】
なお該支柱３は図３（Ｂ）に拡大して示すように、鋼製の直線状パイプ本体６の表面７に樹脂被覆部９が施されているのであるが、便宜上、図３（Ｂ）以外の図面では該樹脂被覆部９を省略している。
【００３９】
又前記枝状部材５は、例えばポリプロピレンやポリエチレン等の弾力性に富む樹脂を用いて構成されており、図１〜３に示すように、前記支柱３の側面部１６の上端側の部分をなす円柱状の側面軸部２９から斜め上方に例えば４５度の傾斜角度で突出し得る直線棒状の枝状突出片１７の基端１９に、該側面軸部２９に固定される固定部２０が設けられている。該枝状突出片１７は、例えば３０ｃｍ程度の長さを有し、図４に示すように、下端開放の空洞部２１が設けられた断面逆Ｕ字状を呈しており、該空洞部２１には、所要間隔で補強連結片２２が配設されている。又、該枝状突出片１７の両外側面２３，２３の上端部分と下端部分には、後述の防護ネット７９を引っ掛けるための上の掛着片２６と下の掛着片２７が設けられている。
【００４０】
そして前記固定部２０は図４〜７に示すように、前記側面軸部２９を嵌入させる嵌入溝３０を形成する左右一対の挾持片３１，３１からなる嵌入筒部３２を有する。該嵌入筒部３２は本実施例においては円筒状に形成されており、円形溝状を呈する前記嵌入溝３０に前記側面軸部２９が図１（Ｂ）、図７に示すように嵌入した状態（固定部２０が側面軸部２９に取り付いた状態）で、該嵌入筒部３２は、図１（Ｂ）に矢印Ｆ１で示すように、前記支柱３の長さ方向にスライドできると共に、図７に矢印Ｆ２で示すように、該側面軸部２９の周方向に回転できる。なお本実施例においては、図５に示すように、前記嵌入溝３０の内面２８の前記基端１９側の両側に位置させて、２条の小突条３４，３４が突設されている。該小突条３４，３４は軟質であってもよいのであるが、本実施例においては、その耐久性を考慮して硬質に形成している。
【００４１】
又図５〜６に示すように、各挾持片３１，３１の先端３３，３３に、ネジ軸片３５，３５が、相互間に所要の間隙３６（例えば９ｍｍ程度の間隙３６）を置いた対向状態で突設されており、両ネジ軸片３５，３５の外周面３７，３７には雄ネジ部３９，３９が設けられ、該両ネジ軸片３５，３５によって円柱状のネジ軸４０が構成されると共に、該ネジ軸４０の先端部４１は、先端に向かうにつれて小径になる小径部４２とされている。本実施例においては、両ネジ軸片３５，３５の基端側４３の外面に、前記雄ネジ部３９よりも直径の大きい半割り大径部４５，４５が設けられており、該半割り大径部４５，４５によって、前記ネジ軸４０よりも大径の大径部４６が形成されている。
【００４２】
又本実施例においては、該ネジ軸片３５，３５は、その成形に要する樹脂量を少なくして製造コストの低減を図るために比較的薄肉に形成されており、両ネジ軸片３５，３５間に前記のように比較的大きい間隙３６が形成されるので、両ネジ軸片３５，３５の向き合う内面４７，４７の長さ方向中央線に沿って規制突部４９，４９が対向状態に設けられている。そして両ネジ軸片３５，３５が自由状態においては、両規制突部４９，４９間に１．５ｍｍ程度の若干の隙間４８が形成されるようになされている。そして該規制突部４９は、前記ネジ軸片３５の前記内面４７から稍浮き上がった状態で該内面４７と平行してその長さ方向に延長する直線状案内面５０が設けられ、該直線状案内面５０の先端で、ネジ軸片先端に向け外方に傾斜する傾斜案内面５１が連設されており、その先端で、前記ネジ軸片３５の先端内側に形成された傾斜面５２に一連に連なっている。これにより、前記ネジ軸４０の先端には、三角形凹部からなる案内凹部５３が形成されている。
【００４３】
然して、前記側面軸部２９を図８（Ａ）に示すように、前記案内凹部５３の先端に当てがって後、前記固定部２０を該側面軸部２９に向けて押圧すると、該側面軸部２９が、図８（Ｂ）、図８（Ｃ）に示すように、前記傾斜面５２，５２、前記傾斜案内面５１，５１、前記直線状案内面５０，５０に案内されて移動し、その際、前記両ネジ軸片３５，３５が図８（Ｂ）、図８（Ｃ）に示すように弾性的に拡開し、最終的に、図７（Ａ）に示すように前記嵌入溝３０に嵌入せしめられる。このように嵌入されると同時に、両ネジ軸片３５，３５は図７（Ａ）に示すように弾性的に窄まる。本実施例においては、この状態で、両ネジ軸片３５，３５は、前記自由状態におけるよりも稍大きく拡開した状態となる。このように側面軸部２９を嵌入溝３０に嵌入した状態において、図７に示すように、該嵌入筒部３２が側面軸部２９を弾性的に挾持した状態となり、該嵌入筒部３２は、図１（Ｂ）に矢印Ｆ１で示すように支柱３の上下方向でスライドできると共に、図７に矢印Ｆ２で示すように支柱３の周方向で回転できる。なお本実施例においては、図７に示すように、前記小突条３４，３４が前記側面軸部２９の外周面２４を支持した状態となる。
【００４４】
図３、図６〜７は、前記両ネジ軸片３５，３５が構成する前記ネジ軸４０に螺合し得る雌ネジ部５４が設けられてなる操作ナット部材５５を示すものであり、ねじ込みの操作容易性を考慮して楕円形状に構成されている。そして、前記雌ネジ部５４の軸線方向の両端部分は、外方に向けて拡径しており、前記ネジ軸４０の先端６１，６１を嵌め入れることができると共に、前記大径部４６を嵌め入れることのできる、先端に向けて拡張したテーパ状のガイド凹部５７，５７とされている。
【００４５】
かかる構成を有する固定部２０を前記支柱３の所要高さに位置させると共に、前記枝状突出片１７を所要方向に突出状態とした後、該固定部２０を前記側面軸部２９に固定するのであるが、その固定要領は図９に示す通りである。
【００４６】
先ず支柱３を図２に示すように、その上端の打撃部２を打撃して地面１５に打ち込む。例えば、支柱下部６０の３０ｃｍ程度の長さ部分を打ち込んで支柱３を垂直な立設状態とする。その後、該支柱３の上端側をなす側面軸部２９を前記要領により前記嵌入溝３０に嵌入させる。この嵌入状態で、図７に示すように、左右のネジ軸片３５．３５が開いた状態となる。この状態で、図９（Ａ）に示すように、両ネジ軸片３５，３５の先端６１，６１を前記操作ナット部材５５の前記ガイド凹部５７に嵌め入れ、該操作ナット部材５５をねじ込んでいく。このねじ込みに伴い、図９（Ｂ）に示すように、前記拡開状態のネジ軸片３５，３５が窄まるように弾性変形されてネジ軸４０が前記雌ネジ部５４にねじ込まれていく。そして、最終締め付け段階においては、図９（Ｃ）に示すように、前記テーパ状のガイド凹部５７の内面４４に前記ネジ軸４０の基端側に存する前記大径部４６の外周縁部分５８が当接せしめられ、乃至該ガイド凹部５７内に該外周縁部分５８が嵌入せしめられることになり、これにより両ネジ軸片３５，３５が強固に絞られ、前記左右の挾持片３１，３１が前記側面軸部２９を締め付ける。この締め付け状態で、前記両規制突部４９，４９相互が前記直線状案内面５０，５０の先端部分５０ａ，５０ａで当接し、ネジ軸４０がそれ以上に細径となるのが防止され、確実なネジ締め効果が発揮されるようになされている。なお本実施例においては、前記のように、側面軸部２９の外周面２４が、２条の小突条３４，３４で支持されているため、該小突条３４，３４が滑り止め機能を発揮し、風の影響等によって固定部２０が支柱３の周方向に回転しにくい。
【００４７】
図１０（Ａ）は、支柱３の直径が比較的小さい場合における前記側面軸部２９の他の態様を示すものであり、該側面軸部２９は、前記支柱３の側面部１６に、該支柱３の径を調整するための調整リング部材６２を弾性的に嵌着して構成されている。該調整リング部材６２は、本実施例においては、平面視でＣ字状を呈するＣ字状の調整リング部材６２ａとして構成されている。
【００４８】
該Ｃ字状の調整リング部材６２ａは、図１１に示すように、上下全長に亘る割り溝状の開口部６３を具え且つ外周面４８が円形面を呈するＣ字状片６５を有し、図１０（Ｂ）に示すように、該Ｃ字状片６５の内径Ｌ１は、用いる支柱３の側面部１６の外径Ｌ２よりも若干小さく形成されている。然して該Ｃ字状片６５を、図１０（Ｃ）に示すように、前記開口部６３を弾性的に拡開させつつ前記側面部１６に弾性的に嵌着させると、該Ｃ字状片６５は支柱３に密着状態となり、該Ｃ字状片６５は図１０（Ａ）に矢印Ｆ１で示すように支柱３の長さ方向でスライドできると共に、図１０（Ｃ）に矢印Ｆ２で示すように、支柱３の周方向で回転できる。そして前記Ｃ字状片６５の上下（本実施例においては上下端）には、図１１、図１０に示すように、前記嵌入筒部３２の上下端６６，６７に当接し得るフランジ６９，６９が設けられている。なお本実施例においては、前記Ｃ字状片６５の、前記開口部６３と対向した内周面部分６８の左右両側に位置させて、２条の小突条８４，８４が突設されると共に、該Ｃ字状片６５の外周面７４には、前記嵌入筒部３２の嵌入溝３０の内面２８に設けられている前記２条の小突条３４，３４と嵌合し得る溝状の嵌入凹部７８が設けられている。
【００４９】
然して、該Ｃ字状の調整リング部材６２ａを前記支柱３の側面部１６に嵌着して構成された側面軸部２９を前記嵌入筒部３２の嵌入溝３０に嵌め入れるに際しては、図１２（Ａ）に示すように、該側面軸部２９の外周面７０（前記Ｃ字状の調整リング部材６２ａの外周面７０ａ）を、前記と同様にして該案内凹部５３の先端に当てがって後、前記固定部２０を該側面軸部２９に向けて押圧すると、該側面軸部２９が、前記傾斜面５２，５２、前記傾斜案内面５１，５１、前記直線状案内面５０，５０に案内されて移動し、その際に図１２（Ｂ）、図１２（Ｃ）に示すように、前記両ネジ軸片３５，３５が弾性的に拡開し、最終的に前記嵌入溝３０に嵌入せしめられる。これにより図１２（Ｃ）に示すように、嵌入筒部３２の内面６４と前記支柱３の側面部１６の外面３８との間に前記該Ｃ字状の調整リング部材６２ａが介在される。このように嵌入されると同時に、両ネジ軸片３５，３５は、図１２（Ｃ）に示すように弾性的に窄まる。本実施例においては、この状態で、両ネジ軸片３５，３５が外方に向けて稍拡開した状態となる。
【００５０】
このように嵌入溝３０に側面軸部２９が嵌入した状態で、図１３に示すように、前記Ｃ字状片６５の上下に設けられている前記フランジ６９，６９が該嵌入筒部３２の上下端３４，３４に当接乃至、極接近した状態となり、これによりＣ字状の調整リング部材６２ａと嵌入筒部３２とが一体化される。従って該嵌入筒部３２は、該Ｃ字状の調整リング部材６２ａと一体となって、図１３（Ａ）に矢印Ｆ１で示すように支柱３の上下方向でスライドできると共に、図１２（Ｃ）に矢印Ｆ２で示すように支柱３の周方向で回転できる。そして、このように側面軸部２９が嵌入溝３０に嵌入した状態で、図１４に拡大して示すように、前記Ｃ字状片６５の内周面に設けられている２条の小突条８４，８４で支柱３の側面部１６が支持されると共に、前記嵌入筒部３２に設けられている前記２条の小突条３４，３４と前記Ｃ字状片６５の外周面に設けられている前記溝状の嵌入凹部７８，７８とが嵌合する。これにより、Ｃ字状片６５と嵌入筒部３２とが凹凸係合作用によって確実に一体化され、前記小突条８４，８４が滑り止め機能を発揮するため、風等の影響等によって固定部２０が支柱３の周方向に回転しにくい。
【００５１】
そして、前記と同様にして、図１５〜１６に示すように、両ネジ軸片３５，３５の先端６１，６１を前記操作ナット部材５５の前記ガイド凹部５７に嵌め入れ、該操作ナット部材５５をねじ込んでいく。このねじ込みに伴い、前記拡開状態のネジ軸片３５，３５が窄まるように弾性変形されてネジ軸４０が前記雌ネジ部５４にねじ込まれていく。そして、最終締め付け段階においては、図１５に示すように、前記テーパ状のガイド凹部５７の内面４４に前記ネジ軸４０の基端側に存する前記大径部４６の外周縁部分５８が当接せしめられ、乃至該案内凹部５７内に該外周縁部分５８が嵌入せしめられることになり、これにより両ネジ軸片３５，３５が強固に絞られることになる。その結果、Ｃ字状の調整リング部材６２ａが支柱３に固定され、且つ、嵌入筒部３２が該Ｃ字状の調整リング部材６２ａに固定され、該嵌入筒部３２が前記支柱３に固定される。即ち、前記固定部２０が前記支柱２の所要高さ位置で該支柱２に固定される。
【００５２】
図１７は、かかる構成を有する支柱装置１を用いて構築した、猪が農地に進入するのを防止する防護柵７１の一部分を示すものである。該防護柵７１を構築するに際しては、例えば図１８に示すように、農地７２の周縁７３に沿って例えば１．５ｍ間隔で前記支柱３を地面５９に打ち込む。その際、支柱上端の打撃部２を打撃し、支柱下部６０の例えば３０ｃｍ程度の長さ部分を地面に打ち込む。支柱３を打ち込んだ後、その側面軸部２９の概略高さ位置で、前記枝状部材５の固定部２０を取り付けておく。なお前記操作ナット部材５５は緩く取り付けておく。このようにして複数本の支柱３を垂直状態に立設しながら、夫々の支柱３に枝状部材５を固定していく。該固定部２０を前記側面軸部２９に取り付けるに際しては、前記嵌入溝３０に前記側面軸部２９を嵌入させて行なうのであるが、該側面軸部２９は、図１に基づいて説明したように、支柱３の側面部１６であることの他、図１０に基づいて前記したように、Ｃ字状の調整リング部材６２ａを該側面部１６に嵌着して構成された側面軸部２９であることもある。かかる側面軸部２９を嵌入溝３０に嵌入状態とする。
【００５３】
このように支柱３を立設する際、農地７２のコーナ７６においては、例えば図１９に示すように、前記枝状部材５を、平面視で、該コーナ７６を挟む支柱列７７ａ，７７ｂに対して例えば４５度方向に突出した状態となるように該枝状突出片１７の突出方向を調整して固定部２０を支柱３に取り付ける。その方向調整は、前記嵌入筒部３２を前記側面軸部２９の周方向に適当に回転させることによって行なうことができる。図２０〜２１は、農地７２のコーナ７６に位置する支柱３に上下二段で枝状部材５，５を固定した状態を示すものである。例えば、上に位置する枝状部材５ａの枝状突出片１７ａは、コーナ７６を挟む一方の支柱列７７ａの枝状部材５の枝状突出片１７Ａと同方向で突出させると共に、下に位置する枝状部材５ｂの枝状突出片１７ｂは、コーナ７６を構成する他方の支柱列７７ｂの枝状部材５の枝状突出片１７Ｂと同方向に突出させる。
【００５４】
その後、図１７に示すように、農地７２の外側において、支柱列７７に、ポリエチレン製等の繊維製防護ネット７９を張設するのであるが、その際、図２２に示すように、該防護ネット７９の上端縁８０を前記枝状突出片１７の前記上の掛着片２６に引っ掛けると共に、該防護ネット７９の上端縁８０の稍下側部位８１を、前記枝状突出片１７の前記下の掛着片２７に引っ掛け、それよりも下側のネット部分８２を、図１７、図２２、図２５に示すように、支柱３に沿って垂らす。これにより該防護ネット７９は、自ずから、前記支柱列７７の外面に沿った屈曲状態になる。
【００５５】
このようにして防護ネット７９を各支柱の枝状突出片１７に取り付けるのであるが、その際、各枝状部材５について、その高さを所要に設定し、前記操作ナット部材５５を締め付けて前記固定部２０を支柱３に固定する。これにより、枝状部材５の枝状突出片１７が支柱の側面部１６から４５度の傾斜角度で斜め上方に突出状態となり、この状態で枝状部材５が支柱３に固定されることになる。そして本実施例においては、この状態で、支柱３の上端部分７５が該固定部２０の上方に５〜１５ｃｍ程度突出した状態とする。この突出長さは、通常は、地面が平坦でないために各支柱によって異なるが、支柱の上端部分７５を固定部２０の上方に突出させる点では共通している。その後、図１７に示すように、パッカー８３を用いて防護ネット７９を支柱３の下端部分や、中間部分、上端側の部分に固定する。なお、該支柱列７７に張設された防護ネット７９の下端部分８９は、図１７に示すように地面５９に被せられ、押えピン９０等で地面５９に固定される。
【００５６】
図２３は、猪に対する、作物を覆い隠す目隠し効果を目的として、支柱３の下側の５０ｃｍ程度の幅部分を遮蔽するように、前記防護ネット７９の外側に被る如く、黒色シート等の遮光シート９２を張設し、該遮光シート９２を防護ネット７９と共にパッカー８３で支柱３に固定している。
【００５７】
なお、前記のように支柱３の上端部分７５を固定部２０の上方に稍突出させておくのは、ある程度の期間を経過した後に支柱３の打ち込み状態が緩んだときに、例えば図２４（Ｂ）に示すように支柱３を多少地面に打ち込んで該支柱３を安定させるための打ち込み余裕部を設けるためである。図２４（Ａ）に示す当初の状態で支柱３の打ち込み状態が緩んだときは、図２４（Ｂ）に示すように、前記打撃部２を打撃して該支柱３を多少長さ分（例えば５ｃｍ程度の長さ分）Ｈ１、地面５９に打ち込む。このように打ち込んだとき、支柱３と一体化されている前記枝状部材５は、支柱３を打ち込んだ分Ｈ１だけ下降する。そこで、図２４（Ｃ）に示すように、前記操作ナット部材５５を緩めて固定部２０を上方向にスライドさせ（スライド方向を、図２４（Ｂ）で矢印で示す）、この状態で該操作ナット部材５５を締め付けることにより、当初高さの安定状態で防護柵７１を維持できることになる。そして、このように枝状部材５を上にスライドさせることにより、防護ネット７９の高さも上昇することになる。
【００５８】
このようにして構成された防護柵７１によるときは、並列状態にある各枝状突出片１７が斜め上方に屈曲しているために、防護ネット７９の、該並列状態の枝状突出片１７に支持された部分は、図２５に示すように、前記支柱列７７の外側の上部を覆う傾斜ネット部９３を形成する。
【００５９】
このようにして構築された防護柵７１による、農地７２への猪の浸入防止作用は次のようである。即ち、猪は助走を付けずにその場で踏み切って柵を飛び越えるという行動様式を有する結果、猪が該防護柵７１に近接した状態で柵を跳び越えようとすると、前記支柱列７７の外側にはその上部を覆うように傾斜ネット部９３が形成されているため、該傾斜ネット部９３が猪に覆い被さった状態となる。そのため猪は、踏切位置を後方にずらすことになる。踏切位置をこのように後方にずらした位置で、猪の視点から防護柵７１を仰ぎ見ると、この防護柵の高さは、前記傾斜ネット部９３が形成されていない防護柵７１よりも高く見える。加えて、猪と防護柵７１との距離も遠くなる。このようなことから猪は、防護柵７１を跳び越えようとする行動自体を諦めてしまうことを期待でき、これによって、猪が農地７２に侵入するのを防止できることとなるのである。
【実施例２】
【００６０】
本発明は、前記実施例で示したものに限定されるものでは決してなく、「特許請求の範囲」の記載内で種々の設計変更が可能であることはいうまでもない。その一例を挙げれば次のようである。
【００６１】
(1) 図２６〜２８は、本発明に係る枝状部材５の他の態様を示すものであり、枝状突出片１７の基端に設けられる固定部２０の構成が前記実施例における場合と相違する。該固定部２０は、前記支柱３をその上端側から挿通させ得る挿通孔９５を有した円筒状の挿通筒部９６を有しており、該挿通孔９５内に前記支柱３をその上端９４側から挿通させて該挿通筒部９６を側面軸部２９に位置させた後、該挿通筒部９６に付設した止めネジ９７を締め付けることによって該挿通筒部９６を支柱３に固定できるように構成されている。
【００６２】
該止めネジ９７は、本実施例においては図２８に示すように、前記挿通筒部９６の外面に設けた収容凹部９９に収容されたナット１００の雌ネジ部９８（図２６）に螺合せしめられ、該止めネジ９７を締め付けることにより、前記挿通筒部９６に設けられた孔部１０１を挿通したネジ軸１０２の先端１０３が前記支柱３の側面部１６（側面軸部２９）を押圧し、これにより前記固定部２０が支柱３に固定されるようになされている。
【００６３】
該止めネジ９７を緩めた状態においては、該挿通筒部９６は支柱３の長さ方向にスライドできると共に支柱３の周方向にも回転できる。従って、前記のように支柱３を地面５９に所要に打ち込んだ状態において、該挿通筒部９６の高さと枝状突出片１７の突出方向を所要に設定し、該止めネジ９７を締め付けると、支柱３の側面部１６から突出する枝状部材５の高さと平面視における突出方向を所要に設定できることになる。
【００６４】
なお図２６〜２８においては、前記側面軸部２９が、外周面１０５が円形状面として形成された支柱の側面部１６を以て構成されており、又図２９においては、前記側面軸部２９が、前記と同様に構成されたＣ字状の調整リング部材６２ａを支柱３の側面部１６に弾性的に嵌着することにより形成されている。
【００６５】
(2) 図３０〜３１、図３２は、本発明に係る枝状部材５のその他の態様を示すものであり、前記と同様に構成された枝状突出片１７の基端１９に設けられた固定部２０の構成が前記実施例における場合と相違する。
【００６６】
該固定部２０は、支柱３の側面軸部２９を嵌合させ得る、上下端１０６，１０７が開放した溝形凹所１０９が設けられた嵌合受体１１０と、該溝形凹所１０９に嵌合状態にある側面軸部２９の外周面７０を押圧するように該溝形凹所１０９の開放端１１１を覆うように該嵌合受体１１０に着脱可能に装着される固定蓋体１１２とを具えている。該固定蓋体１１２は、図３０〜３１においては、前記溝形凹所１０９の一側縁１１３で開閉可能に取り付けられている。又図３２においては、該固定蓋体１１２の両端部分に設けた第１の係合部１１５，１１５を前記嵌合受体１１０の両側部分に設けた第２の係合部１１６，１１６と着脱係合可能とされている。
【００６７】
(3) 図３３〜３４は、本発明に係る枝状部材５のその他の態様を示すものであり、実施例１における場合において、枝状突出片１７の基端部１１７を、前記固定部２０に設けられた支持部１１９に、該枝状突出片１７が上下回動可能となるように連結し、所定の回動状態で、該基端部１１７と該支持突片１１９とに挿通する固定ネジ１２０をナット１１８に螺合して締め付けることにより、該枝状部材５を所要の回動状態で固定部２０に固定できるように構成されている。
【００６８】
図３３において実線で示す枝状突出片１７は、水平線に対して４５度の傾斜角度で斜め上方に突出する如く支柱３に固定された状態を示すものであり、図３３において一点鎖線で示す枝状突出片１７は、水平方向に突出する如く支柱３に固定された状態を示すものである。又図３３において二点鎖線で示す枝状突出片１７は、水平線に対して大きい傾斜角度で、例えば７０度程度の角度で突出する如く支柱３に固定された状態を示すものである。更に、図３３において破線で示す枝状突出片１７は、斜め下方に突出する如く支柱３に固定された状態を示すものである。
【００６９】
例えば図３３において実線で示すように、４５度の傾斜角度で斜め上方に突出する如く枝状突出片１７を支柱３に固定した場合は、前記したような猪除けや、鹿除け等のための防護柵を構築するために用いて好適である。又図３５に示すように、水平方向に突出する如く枝状突出片１７を固定した場合は、同図に示すように、所要間隔を置いて左右対向状態で立設した支柱３，３の上端側に、水平突出の枝状突出片１７，１７を向き合う状態に突出させることにより、該向き合う枝状突出片１７，１７で、シート１２１の下面１２２を支持させると、日除けを構成できる。又図３６に示すように、斜め下方に突出する如く枝状突出片１７を支柱３に固定した場合は、同図に示すように、防水シート１２３の下面１２５を該枝状突出片１７で支持させることにより雨除けを構成できる。
【００７０】
(4) 本発明を構成する支柱３は、外周面１０５が平滑な支柱として構成されることの他、図３７に示すように、突部１２６が支柱３の長さ方向に不連続状態に突設されてなる突部列１２７の１条又は複数条を有する植物支持用の支柱を流用することもできる。
【００７１】
(5) 又本発明を構成する支柱３は、図３８に示すような、対向側が平坦面１２９，１２９に形成され、該平坦面１２９，１２９の端部相互を円弧状面１３０で繋いだ形状の、横断面が楕円形状を呈する支柱３や、例えば図３９に示すような、横断面が四角形状を呈する支柱３を用いることもできる。なお、固定部２０は図２６〜２９に示すと同様の挿通筒部９６として構成されており、該固定部２０は、図２６〜２９に示すと同様にして止めネジ９７とナット１００とを用いて支柱３に固定されるようになされている。
【００７２】
同図においては、かかる構成の支柱３の側面部１６を側面軸部２９とし、枝状部材５の固定部２０を該側面軸部２９に固定しているため、該固定部２０は支柱３の周方向で回転できない。これとは異なり、例えば図４０〜４１に示すように、外周面１３１が円形面を呈するリング状部材１３２を支柱３の側面部１６に装着して形成した側面軸部２９に枝状部材５の固定部２０を固定するときは、図４０〜４１に矢印で示すように、該固定部２０は支柱３の周方向で回転できる。該リング状部材１３２は、図４０に示すような周方向に連続したものとして構成されることの他、図４１に示すようなＣ字状に構成されることもある。なお該リング状部材１３２は、該固定部２０の上下スライド動作を可能として前記枝状部材５の高さ調整を可能とするように上下に稍長く形成するのがよい。
【００７３】
(6) 図４２は、使用する支柱３が前記嵌入筒部３２の内径に比して稍小径である場合も、該支柱３に対して同一の枝状部材５を使用できるようにするために用いる、前記支柱３の側面部１６に嵌着される調整リング部材６２の他の態様を示すものであり、周方向に閉じた筒状を呈している。
周方向に閉じた調整リング部材６２の上下や、Ｃ字状の調整リング部材６２ａを構成するＣ字状片６５の上下に、前記嵌入筒部３２の上下端６６，６７に当接し得るフランジ６９，６９を設ける場合、該フランジは、前記調整リング部材６２やＣ字状片６５の上下端に設けられることの他、該上下端の間で設けられることもある。
【００７４】
(7) 前記ネジ軸片３５は、前記規制突部４９，４９が設けられることなく、図４３に示すように厚肉に形成されることもある。このように構成した場合も、前記と同様にして、固定部２０の有する嵌入溝３０に前記側面軸部２９を嵌入させ得る。
【００７５】
(8) 本発明に係る支柱３は、前記のように防護ネットや遮光シート、防水シート等を取り付けるために用いられることの他、有刺鉄線を架設して防護柵を構築したり、電気刺激を与える電線を架設して電柵を構築するため等にも利用できる。該支柱３としては、例えば１２０〜２５０ｃｍ程度の長さのものを用いるのがよい。
【図面の簡単な説明】
【００７６】
【図１】本発明に係る支柱装置を示す斜視図である。
【図２】支柱装置を構成する支柱の下部を地面に打ち込んで支柱を立設状態とした側面図である。
【図３】枝状部材の固定部の構成を説明する斜視図と支柱の断面図である。
【図４】枝状部材を示す斜視図である。
【図５】枝状部材の固定部の構成を説明する断面図である。
【図６】枝状部材の固定部の構成と操作ナット部材の構成を説明する一部断面斜視図である。
【図７】枝状部材の固定部を支柱に装着した状態を操作ナット部材と共に示す断面図である。
【図８】枝状部材の固定部を支柱に装着する工程を説明する断面図である。
【図９】支柱に装着された固定部を操作ナット部材のねじ込みによって支柱に固定状態とする工程を説明する断面図である。
【図１０】Ｃ字状の調整リング部材を支柱に嵌着した状態を、その嵌着作業工程と共に示す断面図である。
【図１１】枝状部材の固定部をＣ字状の調整リング部材を用いて支柱に固定する工程を説明する斜視図である。
【図１２】Ｃ字状の調整リング部材を用いて構成された側面軸部に、枝状部材の固定部を装着する作業工程を説明する断面図である。
【図１３】Ｃ字状の調整リング部材を用いて構成された側面軸部に、枝状部材の固定部を装着した状態を示す斜視図と断面図である。
【図１４】その側面軸部に固定部を装着した状態の部分拡大断面図である。
【図１５】その側面軸部に装着された固定部を操作ナット部材を用いて支柱に固定した状態を示す断面図である。
【図１６】その固定状態を示す斜視図である。
【図１７】本発明に係る支柱装置を用いて構築した防獣用の防護柵を示す斜視図である。
【図１８】防護柵を構築するに際して支柱を地面に立設し、該支柱に枝状部材を突設した状態を示す斜視図である。
【図１９】農地の周縁に沿って立設された支柱を、枝状部材の突設状態と共に示す平面図である。
【図２０】農地の周縁に沿って立設した支柱を、枝状部材の他の突設状態と共に示す平面図である。
【図２１】農地のコーナに位置する支柱に、上下２段で枝状部材を固定した状態を示す斜視図である。
【図２２】枝状部材に防護ネットの上端側の部分を掛着した状態を示す斜視図である。
【図２３】遮光シートが防護ネットに重ねて取り付けられた防護柵を示す斜視図である。
【図２４】支柱の打ち込み状態が緩んだときに支柱を更に打ち込み、その後、枝状部材の高さ調整を行う工程を説明する側面図である。
【図２５】防護柵の作用効果を説明する説明図である。
【図２６】枝状部材の固定部の他の態様を説明する分解斜視図である。
【図２７】この固定部を支柱に固定した状態を示す斜視図である。
【図２８】その断面図である。
【図２９】枝状部材の固定部を、Ｃ字状の調整リング部材を介して支柱に固定した状態を示す断面図である。
【図３０】枝状部材の固定部のその他の態様を、側面軸部に固定された状態で示す斜視図である。
【図３１】その断面図である。
【図３２】その固定部の他の固定状態を示す断面図である。
【図３３】枝状突出片を上下に回動可能とした枝状部材を示す側面図である。
【図３４】その回動構成を示す分解斜視図である。
【図３５】その枝状突出片を水平状態に突設した支柱装置をその使用状態と共に示す側面図である。
【図３６】枝状突出片を斜め下方に突設した支柱装置をその使用状態で示す側面図である。
【図３７】複数条の突部列を有する支柱に枝状部材の固定部を固定した状態を示す斜視図である。
【図３８】横断面が楕円形状を呈する支柱に枝状部材の固定部を固定した状態を示す斜視図である。
【図３９】横断面が四角形状を呈する支柱に枝状部材の固定部を固定した状態を示す斜視図である。
【図４０】周方向に連続した筒状を呈するリング状部材を介して枝状部材の固定部を支柱に固定した状態を示す断面図である。
【図４１】Ｃ字状のリング状部材を介して、枝状部材の固定部を支柱に固定した状態を示す断面図である。
【図４２】調整リング部材の他の態様を示す斜視図である。
【図４３】固定部の他の態様を示す斜視図である。
【図４４】金網を用いて構成した従来の防護柵を示す斜視図である。
【図４５】支柱上部に傾斜片部が設けられた支柱を用いて構築された防護柵を示す斜視図である。
【符号の説明】
【００７７】
１  支柱装置
２  打撃部
３  支柱
５  枝状部材
１７  枝状突出片
２０  固定部
２６  上の掛着片
２７  下の掛着片
２９  側面軸部
３０  嵌入溝
３１  挾持片
３２  嵌入筒部
３５  ネジ軸片
３９  雄ネジ部
４０  ネジ軸
４５  半割り大径部
４６  大径部
４９  規制突部
５０  直線状案内面
５１  傾斜案内面
５２  傾斜面
５３  案内凹部
５４  雌ネジ部
５５  操作ナット部材
６０  支柱下部
６２  調整リング部材
６３  開口部
６４  外周面
６５  Ｃ字状片
６９  フランジ
７１  防護柵
７２  農地
７６  農地のコーナ
７７  支柱列
７９  防護ネット
９２  遮光シート
９３  傾斜ネット部
【図１】
2008263827.tif 000003
【図２】
2008263827.tif 000004
【図３】
2008263827.tif 000005
【図４】
2008263827.tif 000006
【図５】
2008263827.tif 000007
【図６】
2008263827.tif 000008
【図７】
2008263827.tif 000009
【図８】
2008263827.tif 000010
【図９】
2008263827.tif 000011
【図１０】
2008263827.tif 000012
【図１１】
2008263827.tif 000013
【図１２】
2008263827.tif 000014
【図１３】
2008263827.tif 000015
【図１４】
2008263827.tif 000016
【図１５】
2008263827.tif 000017
【図１６】
2008263827.tif 000018
【図１７】
2008263827.tif 000019
【図１８】
2008263827.tif 000020
【図１９】
2008263827.tif 000021
【図２０】
2008263827.tif 000022
【図２１】
2008263827.tif 000023
【図２２】
2008263827.tif 000024
【図２３】
2008263827.tif 000025
【図２４】
2008263827.tif 000026
【図２５】
2008263827.tif 000027
【図２６】
2008263827.tif 000028
【図２７】
2008263827.tif 000029
【図２８】
2008263827.tif 000030
【図２９】
2008263827.tif 000031
【図３０】
2008263827.tif 000032
【図３１】
2008263827.tif 000033
【図３２】
2008263827.tif 000034
【図３３】
2008263827.tif 000035
【図３４】
2008263827.tif 000036
【図３５】
2008263827.tif 000037
【図３６】
2008263827.tif 000038
【図３７】
2008263827.tif 000039
【図３８】
2008263827.tif 000040
【図３９】
2008263827.tif 000041
【図４０】
2008263827.tif 000042
【図４１】
2008263827.tif 000043
【図４２】
2008263827.tif 000044
【図４３】
2008263827.tif 000045
【図４４】
2008263827.tif 000046
【図４５】
2008263827.tif 000047